(57)【要約】      （修正有）【課題】  十字状に交差して展開する一対の表示体が重なり合った扁平状態に折り畳み可能で収納・保管に便利であるばかりでなく、両表示体を分離して一方の表示体を単独で矢印標識として使用可能とした標識装置を提供する。【解決手段】  二等辺三角形状の枠体に形成された一対の表示体２，３の上部が、縦軸の回りに回動自在のヒンジ機構４により結合され、十字状に交差する状態から重なり合った折り畳み状態まで回動自在に構成されている標識装置１であって、前記両表示体２，３の一方を軸方向へ移動させ、ピン２４をカム溝１０に沿って移動させることによって、両表示体２，３が重なり合った折り畳み状態から十字状に交差する姿勢又はその逆の姿勢に変位し、かつ、ピン２４をカム溝１０から分離用案内溝１３を通じて離脱させることによって、両表示体２，３が分離可能に構成されている。【選択図】      図１
2005097864.tif 000002
【特許請求の範囲】
【請求項１】
二等辺三角形状の枠体に形成された一対の表示体の上部が、縦軸の回りに回動自在のヒンジ機構により結合され、十字状に交差する状態から重なり合った折り畳み状態まで回動自在に構成されている標識装置であって、
前記ヒンジ機構は、一方の表示体の上部に固着された円筒部と、他方の表示体に固着され、前記円筒部に摺動自在及び回動自在に嵌挿された枢支軸とを備えており、
前記円筒部の周壁には螺旋状に延びるカム溝と、該カム溝の上端部に連続して横方向へ延びた後、軸方向下方へ延び、かつ下端が開放されている分離用案内溝とが設けられ、
前記枢支軸には前記カム溝に係合するピンが突設されており、
前記両表示体の一方を軸方向へ移動させ、前記ピンを前記カム溝に沿って移動させることによって、両表示体が重なり合った折り畳み状態から十字状に交差する姿勢に又はその逆の姿勢に変位し、かつ、前記ピンを前記カム溝から前記分離用案内溝を通じて離脱させることによって、前記両表示体が分離可能に構成されていることを特徴とする標識装置。
【請求項２】
前記円筒部を設けた前記一方の表示体の頂部に把手が設けられ、前記枢支軸を設けた前記他方の表示体の頂部に表示灯が設けられている請求項１記載の標識装置。
【請求項３】
前記一方の表示体の底辺部材が分断可能に構成されていて、前記ピンが前記分離用案内溝から離脱したとき、前記底辺部材の分断箇所を通じて前記他方の表示体の底辺部材が通過して、前記両表示体が分離されるように構成されている請求項１又は２記載の標識装置。
【請求項４】
分離した前記他方の表示体を単独で横向きに設置して、矢印標識に使用することを特徴とする請求項１，２又は３記載の標識装置。
【請求項５】
前記他方の表示体に、単独で横向きに設置するための補助脚が着脱自在に取り付けられていることを特徴とする請求項４記載の標識装置。
【発明の詳細な説明】
【技術分野】
【０００１】
本発明は、道路工事、自動車事故等で道路の通行を規制するため路上に設置して、通行人、後続車に注意を喚起する他、寺社の参拝経路あるいは各種催物会場、店頭等における矢印標識として使用できる標識装置に関するものである。
【背景技術】
【０００２】
折り畳み式の路上標識体として、例えば特許文献１に開示されているものが知られている。
【特許文献１】特許第２６５６４３６号公報
【０００３】
上記従来の路上標識体は、長さ方向中央において十字状に交差する状態から一字状に重なる状態まで回動自在に係合した２本の脚に二等辺三角形状に形成された一対の表示板を取り付けると共に、前記両表示板の上部をヒンジで結合してなるもので、２本の脚を十字状になるように回動すると、両表示板が直交状態に開き、２本の脚を一字状になるように回動すると、両表示板が重なり合って扁平状態に折り畳まれる。
【０００４】
しかし、上記した従来の路上標識体は、回動自在に結合した両表示板を簡単に分離して、単独で使用することは不可能であった。
【発明の開示】
【発明が解決しようとする課題】
【０００５】
本発明は、上記のような問題点に鑑みてなされたもので、十字状に交差して展開する一対の表示体が重なり合った扁平状態に折り畳み可能で収納・保管に便利であるばかりでなく、両表示体を分離して一方の表示体を単独で矢印標識として使用可能とした標識装置を提供することを目的とする。
【課題を解決するための手段】
【０００６】
上記目的を達成するために、本発明は、二等辺三角形状の枠体に形成された一対の表示体の上部が、縦軸の回りに回動自在のヒンジ機構により結合され、十字状に交差する状態から重なり合った折り畳み状態まで回動自在に構成されている標識装置であって、前記ヒンジ機構は、一方の表示体の上部に固着された円筒部と、他方の表示体に固着され、前記円筒部に摺動自在及び回動自在に嵌挿された枢支軸とを備えており、前記円筒部の周壁には螺旋状に延びるカム溝と、該カム溝の上端部に連続して横方向へ延びた後、軸方向下方へ延び、かつ下端が開放されている分離用案内溝とが設けられ、前記枢支軸には前記カム溝に係合するピンが突設されており、前記両表示体の一方を軸方向へ移動させ、前記ピンを前記カム溝に沿って移動させることによって、両表示体が重なり合った折り畳み状態から十字状に交差する姿勢又はその逆の姿勢に変位し、かつ、前記ピンを前記カム溝から前記分離用案内溝を通じて離脱させることによって、前記両表示体が分離可能に構成されていることを特徴とする。
【０００７】
前記円筒部を設けた前記一方の表示体の頂部に把手が設けられ、前記枢支軸を設けた前記他方の表示体の頂部に表示灯が設けられている。
【０００８】
前記両表示体を分離するため、前記一方の表示体の底辺部材が分断可能に構成されていて、前記ピンが前記分離用案内溝から離脱したとき、前記底辺部材の分断箇所を通じて前記他方の表示体の底辺部材が通過して、前記両表示体が分離されるように構成されている。
【０００９】
また、分離した前記他方の表示体を単独で横向きに設置して、矢印標識に使用することが可能である。この場合、前記他方の表示体に単独で横向きに設置するための補助脚を着脱自在に取り付けることが好ましい。
【発明の効果】
【００１０】
本発明は、両表示体を平面視十字状に展開して視認性のすぐれた標識として使用することができると共に、前記両表示体を重なり合った扁平状態に折り畳むことができるので、収納・保管に有利である。さらに、前記両表示体を分離して、一方の表示体を単独で矢印標識として使用することもできるので、大変便利である。
【発明を実施するための最良の形態】
【００１１】
以下、本発明の好適な実施の形態を図面に基づいて説明する。
【００１２】
図１〜図３は、本発明に係る標識装置１の両表示体２，３が平面視十字状に展開した使用状態を示しており、図４〜図６は、両表示体２，３が重なり合った扁平状態に折り畳んだ状態を示している。
【００１３】
両表示体２，３は、二等辺三角形状の枠体に形成され、上部が後述するように縦軸の回りに回動自在のヒンジ機構４を回動自在して回動自在に結合されている。
【００１４】
一方の表示体（以下、第１表示体という）２は、下拡がりに形成した一組の支柱部５，５と、両支柱部５，５の下部を連結支持する底辺脚部６とによって輪郭形状が二等辺三角形状の枠体に形成され、両支柱部５，５の上部はヒンジ機構４を構成する円筒部７に固着されている。両支柱部５，５は、円筒部７より上方に延び、頂部を連結する連結部材により把手８が形成されている。また、両支柱部５，５は円筒部７との固着部分に屈曲部９，９を有し、図３、図８及び図９に示されているように、円筒部７より下方において、第１表示体２の中心線を通る平面と平行で、互いに反対側に偏倚している。これは折り畳んだときにできるだけ蒿張らないようにするために採用した構成である。円筒部７の周壁には、下部から上部へ向けて、かつ周方向へ約９０度に亘って延びる螺旋状のカム溝１０が周方向対称位置に２つ設けられている。該カム溝１０の下端部には水平方向に少し延び、かつ軸方向上方へ屈曲した折り畳み係止溝部１１を有している。また、カム溝１０の上端部には軸方向上方へ延びる展開係止溝１２を有し、さらに該係止溝１２の途中に連続して水平方向へ少し延びた後軸方向下方へ延びる分離用案内溝１３が設けられている。該分離用案内溝１３は、図１０及び図１１に良く示されているように、円筒部７に突設した覆部１４によって、上端部と外側部が覆われているが、下端は開放されていて開口部１５を有している。一方、底辺脚部６は、図７、図１２及び図１３に示されているように、片方の支柱部５に連結固定された長い分割脚部１６と、他方の支柱部５に連結固定された短い分割脚部１７とに分割されていて、長い分割脚部１６は上部の屈曲部９，９に対応する屈曲部１８を有している。そして、長い分割脚部１６の前端に突設した接続片１６ａと短い分割脚部１７の前端に突設した接続片１７ａを接続筒１９に嵌合して両分割脚部１６，１７が分断可能に接続支持されている。
【００１５】
而して、後述するように両表示体２，３を分離する際、第１表示体２の両支柱部５，５を下部が拡開するように弾性変形させると、図１３に示すように、両分割脚部１６，１７が離間して、接続筒１９が離脱した分断箇所２９を通じて、他方の表示体３を分離させるようになっている。
【００１６】
他方の表示体（以下、第２表示体という）３は、図１４に示されているように、下拡がりに形成した一組の支柱部２１，２１と、両支柱部２１，２１の下部を連結する底辺脚部２２とを一体成形して、輪郭形状が二等辺三角形状の枠体に形成され、両支柱部２１，２１の上部はヒンジ機構４を構成する枢支軸２３に固着されている。枢支軸２３は第１表示体２の円筒部７に摺動自在及び回動自在に嵌挿され、その上端部外周面にはカム溝１０に係合するピン２４が接線方向に突出して設けられている。該枢支軸２３は中空軸に構成されていて、図１４に示すように、内部に電池２５が収容されており、枢支軸２３の上端部に装着した表示灯２６を電池２５により点灯するように構成されている。また、両支柱部２１，２１には適当数の発光体２７が配装されていて、該発光体２７も電池２５を電源として連続発光又は点滅発光させるようになっている。さらに、底辺脚部２２の中央部分には、第１表示体２の分割脚部１６が係合する凹部２８が設けられている。
【００１７】
図１〜図３に示すように、両表示体２，３が平面視十字状に展開した使用状態においては、両表示体２，３が前後左右から見えるから、標識として注意を喚起させることができる。このとき、ピン２４は円筒部７の展開係止溝１２に係合している。この展開状態において、把手８を持って第１表示体２を引き上げると、第２表示体３が相対的に下方へ移動し、その軸方向下方への移動に伴って、ピン２４がカム溝１０に沿って移動し、第２表示体３は図３の矢印Ａに示す方向へ回動する。約９０度回動したとき、ピン２４が折り畳み係止溝部１１に係合して停止し、図４〜図６に示すように両表示体２，３が重なり合った扁平状態に折り畳まれる。このように折り畳まれた標識装置１は、容積が縮小し収納・保管に好都合である。なお、このとき、第２表示体３の底辺脚部２２が第１表示体２の支柱部５の下端より突出している。また、図４〜図６に示す折り畳み状態において、把手８を持って第２表示体３の底辺脚部２２を床面に押し付けると、該第２表示体３が第１表示体２に対して相対的に上方へ移動し、その軸方向上方への移動に伴って、ピン２４が折り畳み係止溝１１からカム溝１０に沿って移動し、これに連動して第２表示体が図６の矢印Ｂで示す方向へ回動する。約９０度回動したとき、ピン２４が図１に示すように展開係止溝１２に係合して停止し、図３に示すように、両表示体２，３が平面視十字状に交差して展開した姿勢になる。
【００１８】
次に、両表示体２，３を分離して使用する場合につい説明する。
【００１９】
図１〜図３に示すように両表示体２，３が平面視十字状に展開した姿勢において、把手８を持って少し引き上げ、ピン２４が分離用案内溝１３の水平方向部位に対向位置した状態で、図１６に示すように第２表示体３を矢印Ｃで示す方向へ約３４度回動させると、図１７に示すように、ピン２４が軸方向下方へ延びる分離用案内溝１３に係合する。この係合状態において、第１表示体２を引き上げると、図１８に示すように、第２表示体３が相対的に下方へ移動し、ピン２４が分離用案内溝１３の開口部１５から離脱し、第２表示体３の枢支軸２３が第１表示体２の円筒部７から抜け出す。次に、図１２及び図１３について説明したように、第１表示体２の両支柱部５，５を下部が拡開するように弾性変形させ、図１３に示すように、離間した分割脚部１６と分割脚部１７の分断箇所２９に第２表示体３の支柱部２１を通過させると、両表示体２，３は分離される。
【００２０】
このように分離した両表示体２，３のうち、表示灯２６と発光体２７が配装されている第２表示体３を、図１９に示すように、横向きに設置して、矢印標識として使用することができる。このとき、図示のように、金属線材を折り曲げ加工して構成した補助脚３０を支柱部２１に設けた取付孔３１に着脱自在に取り付けて使用すると、第２表示体３を安定した姿勢で所定の方向に向けて設置することができる。
【図面の簡単な説明】
【００２１】
【図１】本発明に係る標識装置の使用状態を示す正面図である。
【図２】同上右側面図である。
【図３】同上平面図である。
【図４】本発明に係る標識装置の折り畳み状態を示す正面図である。
【図５】同上左側面図である。
【図６】同上平面図である。
【図７】本発明に係る標識装置の第１表示体を示す正面図である。
【図８】同上第１表示体の左側面図である。
【図９】図７の９−９線に沿う矢視断面図である。
【図１０】同上第１表示体の円筒部を示す拡大正面図である。
【図１１】図１０の１１−１１線に沿う矢視断面図である。
【図１２】同上第１表示体の底辺脚部の要部を示す底面図である。
【図１３】同上底辺脚部の分断状態を示す説明図である。
【図１４】本発明に係る標識装置の第２表示体を示す正面図である。
【図１５】同上第２表示体の左側面図である。
【図１６】本発明に係る標識装置の第１表示体と第２表示体の分離作業を説明する平面図である。
【図１７】同上分離作業における第１表示体の円筒部と第２表示体の枢支軸との位置関係を示す要部拡大横断面図である
【図１８】同上分離作業途中を示す一部切欠き説明図である。
【図１９】分離された第２表示体を単独で矢印標識として使用する例を示す説明図である。
【符号の説明】
【００２２】
１  標識装置
２  第１表示体
３  第２表示体
４  ヒンジ機構
５  支柱部
６  底辺脚部
７  円筒部
８  把手
９  屈曲部
１０  カム溝
１１  折り畳み係止溝
１２  展開係止溝
１３  分離用係止溝
１５  開口部
１６，１７  分割脚部
１８  屈曲部
１９  接続筒
２１  支柱部
２２  底辺脚部
２３  枢支軸
２４  ピン
２５  電池
２６  表示灯
２７  発光体
２９  分断箇所
３０  補助脚
３１  取付孔
【図１】
2005097864.tif 000003
【図２】
2005097864.tif 000004
【図３】
2005097864.tif 000005
【図４】
2005097864.tif 000006
【図５】
2005097864.tif 000007
【図６】
2005097864.tif 000008
【図７】
2005097864.tif 000009
【図８】
2005097864.tif 000010
【図９】
2005097864.tif 000011
【図１０】
2005097864.tif 000012
【図１１】
2005097864.tif 000013
【図１２】
2005097864.tif 000014
【図１３】
2005097864.tif 000015
【図１４】
2005097864.tif 000016
【図１５】
2005097864.tif 000017
【図１６】
2005097864.tif 000018
【図１７】
2005097864.tif 000019
【図１８】
2005097864.tif 000020
【図１９】
2005097864.tif 000021